(57)【特許請求の範囲】
【請求項１】
下記式（１）で示されることを特徴とするオルガノポリシロキサン。
【化１】
0005575685.tif 000039
［上記式（１）中、
Ｒ１は、互いに独立に、炭素原子数１以上３０以下のフッ素置換されてもよいアルキル基、炭素原子数６以上３０以下のアリール基、及び炭素原子数７以上３０以下のアラルキル基から選ばれる基であり、
Ｒ２は、互いに独立に、炭素原子数２以上１５以下の酸素原子を介してもよい２価の有機基であり、
Ｒ３は、互いに独立に、下記式（２）で示されるポリオキシアルキレン基、
【化２】
0005575685.tif 000040
（上記式（２）中、Ｒ４は、水素原子又は炭素原子数１以上２０以下のアルキル基であり、ａ〜ｄは０〜５０の整数で、かつ１≦（ａ＋ｂ＋ｃ＋ｄ）≦５０を満たす整数である。）
及び下記式（３）で示される基から選ばれる基であって、
【化３】
0005575685.tif 000041
（上記式（３）中、Ｒ１、Ｒ２は前記と同様である。ｍは０〜３００の整数である。）
一分子中少なくともひとつは上記式（２）で示されるポリオキシアルキレン基であり、
ｍは０〜３００の整数であり、ｎは１〜１０の整数である。］
【請求項２】
前記Ｒ２は−Ｃ３Ｈ６−で示される２価の有機基であり、前記Ｒ３は下記式（４）
【化４】
0005575685.tif 000042
［上記式（４）中、ａ及びｂは０〜５０の整数で、かつ１≦（ａ＋ｂ）≦５０を満たす整数であり、Ｒ４は前記同様である。］
で示されるポリオキシアルキレン基であることを特徴とする請求項１に記載のオルガノポリシロキサン。
【請求項３】
前記Ｒ２は−Ｃ３Ｈ６−で示される２価の有機基であり、前記Ｒ３は、互いに独立に、下記式（４）で示されるポリオキシアルキレン基又は前記式（３）で示される基であり、
【化５】
0005575685.tif 000043
［上記式（４）中、ａ及びｂは０〜５０の整数で、かつ１≦（ａ＋ｂ）≦５０を満たす整数であり、Ｒ４は前記同様である。］
前記ｎは２〜１０の整数であることを特徴とする請求項１に記載のオルガノポリシロキサン。
【請求項４】
請求項１乃至請求項３のいずれか１項に記載のオルガノポリシロキサンを、化粧料総質量の０．１〜４０質量％含有するものであることを特徴とする化粧料。
【請求項５】
さらに水を含み、エマルジョンの形態であることを特徴とする請求項４に記載の化粧料。
【請求項６】
さらにシリコーンオイル、グリコール、エステル油、グリセライド油及びこれらの混合物のいずれかを含み、非水エマルジョンの形態であることを特徴とする請求項４に記載の化粧料。
【請求項７】
さらに粉体を含み、該粉体が分散された、液状、ペースト状又は固体状であることを特徴とする請求項４乃至請求項６のいずれか１項に記載の化粧料。
【発明の詳細な説明】
【技術分野】
【０００１】
本発明は、オルガノポリシロキサン及びそれを含む化粧料に関する。
【背景技術】
【０００２】
シリコーンオイルは、その安全性等のために諸分野において油剤として用いられている。化粧品においても、多用されており、スキンケア、メイキャップ化粧品等の用途においては、特に１００ｍｍ２／ｓ以下の低粘度シリコーンオイルが、その優れた伸展性、さっぱり感及び安全性により広く使用されている。
【０００３】
シリコーンオイルは化粧品等の用途で乳化物として使用されることが多く、その場合シリコーン系界面活性剤が使用されることが多い。このようなシリコーン系界面活性剤としては、シロキサンの末端や側鎖にポリオキシアルキレン基を有するポリエーテル変性シリコーンなどが知られている（特許文献１〜５）。さらに、主鎖のシロキサン部が分岐したポリエーテル変性シリコーンや（特許文献６）、下記式のようなＡＢＡ（シリコーン−親水基−シリコーン）型共重合体であるポリエーテル変性シリコーンも知られている（特許文献７）。
【化１】
0005575685.tif 000002
［ここでＸは任意の結合基であり、ウレタン、尿素、アミド、エステル、アルキルエーテルが例示されている。また、Ｒは炭素原子数１〜１２の直鎖又は分岐アルキレン基もしくはフェニル基であり、ｌは１〜５、ｍは４０〜９０、ｎは１０〜４０である。］
【０００４】
また、シリコーン系界面活性剤としては、その他の親水基として（ポリ）グリセリン基を有するシリコーンや（特許文献８）、シロキサン部分が分岐したシリコーン（特許文献９）、下記式に示したＡＢＡ型共重合体として（ポリ）グリセリン変性シリコーン（特許文献１０）も知られている。これらは粉体を含有する化粧料の粉体分散安定化剤としても知られている。
【化２】
0005575685.tif 000003
［ここでＲは炭素原子数１〜１２の直鎖又は分岐アルキル基もしくはフェニル基であり、Ｒ’は炭素原子数２〜１１のアルキレンと例示されている。また、ｍは１０〜１２０、ｎは１〜１１である。］
【先行技術文献】
【特許文献】
【０００５】
【特許文献１】特公平０４−１５７６２号公報
【特許文献２】特公平０４−２０４０７号公報
【特許文献３】特公平０５−１３１２６号公報
【特許文献４】特公平０６−６２３８５号公報
【特許文献５】特公平０５−１２９７９号公報
【特許文献６】特許３７２４９８８号
【特許文献７】特開２００５−１５４７３６号公報
【特許文献８】特公昭６２−３４０３９号公報
【特許文献９】特許３９７６２２６号
【特許文献１０】特開２００６−２１８４７２号公報
【発明の概要】
【発明が解決しようとする課題】
【０００６】
上記シリコーン系界面活性剤は親水性基の種類、結合部位、親水基／親油基（シリコーン）バランスなど、それぞれ目的に応じて使用されており、特にＡＢＡ（シリコーン−親水基−シリコーン）型共重合体は乳化系化粧料や粉体含有化粧料で安定性に優れている。しかしながら、一方で、従来のシリコーン系界面活性剤は経時安定性及び皮膚密着性に乏しいことが問題であった。
【０００７】
本発明は、上記問題を解決するためになされたものであり、乳化安定性が良好で、さらには粉体を含む場合は粉体の分散安定性が良好であり、且つ、経時安定性及び皮膚密着性に優れたオルガノポリシロキサン、およびこれを含有する化粧料を提供することを目的とする。
【課題を解決するための手段】
【０００８】
上記課題を解決するため、本発明では、下記式（１）で示されることを特徴とするオルガノポリシロキサンを提供する。
【化３】
0005575685.tif 000004
［上記式（１）中、
Ｒ１は、互いに独立に、炭素原子数１以上３０以下のフッ素置換されてもよいアルキル基、炭素原子数６以上３０以下のアリール基、及び炭素原子数７以上３０以下のアラルキル基から選ばれる基であり、
Ｒ２は、互いに独立に、炭素原子数２以上１５以下の酸素原子を介してもよい２価の有機基であり、
Ｒ３は、互いに独立に、下記式（２）で示されるポリオキシアルキレン基、
【化４】
0005575685.tif 000005
（上記式（２）中、Ｒ４は、水素原子又は炭素原子数１以上２０以下のアルキル基であり、ａ〜ｄは０〜５０の整数で、かつ１≦（ａ＋ｂ＋ｃ＋ｄ）≦５０を満たす整数である。）
及び下記式（３）で示される基から選ばれる基であって、
【化５】
0005575685.tif 000006
（上記式（３）中、Ｒ１、Ｒ２は前記と同様である。ｍは０〜３００の整数である。）
一分子中少なくともひとつは上記式（２）で示されるポリオキシアルキレン基であり、
ｍは０〜３００の整数であり、ｎは１〜１０の整数である。］
【０００９】
このようなポリオキシアルキレン基を有する新規な構造を有するオルガノポリシロキサンであれば、乳化安定性が良好で、さらには粉体を含む場合は粉体の分散安定性が良好であり、且つ、経時安定性及び皮膚密着性に優れたオルガノポリシロキサンとなる。
【００１０】
また、前記Ｒ２は−Ｃ３Ｈ６−で示される２価の有機基であり、前記Ｒ３は下記式（４）
【化６】
0005575685.tif 000007
［上記式（４）中、ａ及びｂは０〜５０の整数で、かつ１≦（ａ＋ｂ）≦５０を満たす整数であり、Ｒ４は前記同様である。］
で示されるポリオキシアルキレン基であることが好ましい。
【００１１】
このようなＲ２及びＲ３であれば、一層、乳化安定性が良好で、さらには粉体を含む場合は粉体の分散安定性が良好であり、且つ、経時安定性及び皮膚密着性に優れたオルガノポリシロキサンとなる。
【００１２】
さらに、前記Ｒ２は−Ｃ３Ｈ６−で示される２価の有機基であり、前記Ｒ３は、互いに独立に、下記式（４）で示されるポリオキシアルキレン基又は前記式（３）で示される基であり、
【化７】
0005575685.tif 000008
［上記式（４）中、ａ及びｂは０〜５０の整数で、かつ１≦（ａ＋ｂ）≦５０を満たす整数であり、Ｒ４は前記同様である。］
前記ｎは２〜１０の整数であることも好ましい。
【００１３】
このようなＲ２、Ｒ３、及びｎであれば、一層、乳化安定性が良好で、さらには粉体を含む場合は粉体の分散安定性が良好であり、且つ、経時安定性及び皮膚密着性に優れたオルガノポリシロキサンとなる。
【００１４】
前記オルガノポリシロキサンを、化粧料総質量の０．１〜４０質量％含有するものであることを特徴とする化粧料。
【００１５】
このような化粧料であれば、安定に乳化し、さらには粉体を含む場合は安定に粉体が分散し、且つ、経時安定性及び皮膚密着性に優れ、化粧持続性に優れた化粧料となるため好ましい。
【００１６】
また、前記化粧料は、さらに水を含み、エマルジョンの形態であることが好ましい。
【００１７】
このように水を含んでも、安定に乳化し、さらには粉体を含む場合は安定に粉体が分散し、且つ、経時安定性及び皮膚密着性に優れ、化粧持続性に優れた化粧料となる。
【００１８】
また、前記化粧料は、さらにシリコーンオイル、グリコール、エステル油、グリセライド油及びこれらの混合物のいずれかを含み、非水エマルジョンの形態であることが好ましい。
【００１９】
このようにシリコーンオイルなどを含んでも、安定に乳化し、さらには粉体を含む場合は安定に粉体が分散し、且つ、経時安定性及び皮膚密着性に優れ、化粧持続性に優れた化粧料となる。
【００２０】
また、前記化粧料は、さらに粉体を含み、該粉体が分散された、液状、ペースト状又は固体状であることが好ましい。
【００２１】
このような粉体を含有する化粧料において前記オルガノポリシロキサンを配合すると、粉体処理効果（耐水性、耐皮脂性、油剤への分散安定性）により、粉体が高度に分散された化粧料を形成することができる。
【発明の効果】
【００２２】
以上説明したように、本発明によれば、乳化安定性が良好で、さらには粉体を含む場合は粉体の分散安定性が良好であり、且つ、経時安定性及び皮膚密着性に優れたオルガノポリシロキサン、およびこれを含有する化粧料を提供することができる。特に、粉体を含有する化粧料において前記オルガノポリシロキサンを配合すると、粉体処理効果（耐水性、耐皮脂性、油剤への分散安定性）により、粉体が高度に分散された化粧料を形成することができる。
【発明を実施するための形態】
【００２３】
以下、本発明のオルガノポリシロキサン、およびこれを含有する化粧料について詳細に説明するが、本発明はこれらに限定されるものではない。
前述のように、従来のシリコーン系界面活性剤では経時安定性及び皮膚密着性に乏しいことが問題であった。
【００２４】
本発明者らは、上記課題について鋭意検討を重ねた結果、本発明のポリオキシアルキル基を有する新規な構造のオルガノポリシロキサンであれば、乳化安定性が良好で、さらには粉体を含む場合は粉体の分散安定性が良好であり、且つ、経時安定性及び皮膚密着性に優れたオルガノポリシロキサンとなることを見出して、本発明を完成させた。
【００２５】
［オルガノポリシロキサン］
すなわち、本発明では、下記式（１）で示されることを特徴とするオルガノポリシロキサンを提供する。以下、本発明について詳細に説明する。
【化８】
0005575685.tif 000009
［上記式（１）中、
Ｒ１は、互いに独立に、炭素原子数１以上３０以下のフッ素置換されてもよいアルキル基、炭素原子数６以上３０以下のアリール基、及び炭素原子数７以上３０以下のアラルキル基から選ばれる基であり、
Ｒ２は、互いに独立に、炭素原子数２以上１５以下の酸素原子を介してもよい２価の有機基であり、
Ｒ３は、互いに独立に、下記式（２）で示されるポリオキシアルキレン基、
【化９】
0005575685.tif 000010
（上記式（２）中、Ｒ４は、水素原子又は炭素原子数１以上２０以下のアルキル基であり、ａ〜ｄは０〜５０の整数で、かつ１≦（ａ＋ｂ＋ｃ＋ｄ）≦５０を満たす整数である。）
及び下記式（３）で示される基から選ばれる基であって、
【化１０】
0005575685.tif 000011
（上記式（３）中、Ｒ１、Ｒ２は前記と同様である。ｍは０〜３００の整数である。）
一分子中少なくともひとつは上記式（２）で示されるポリオキシアルキレン基であり、
ｍは０〜３００の整数であり、ｎは１〜１０の整数である。］
【００２６】
上記式（１）中、Ｒ１は、互いに独立に、炭素原子数１以上３０以下のフッ素置換されてもよいアルキル基、炭素原子数６以上３０以下のアリール基、及び炭素原子数７以上３０以下のアラルキル基から選ばれる基である。Ｒ１において、前記炭素原子数１以上３０以下のフッ素置換されてもよいアルキル基としては、特に制限されないが、メチル基、エチル基、プロピル基、ブチル基、ペンチル基、ヘキシル基、ヘプチル基、オクチル基、ノニル基、デシル基等のアルキル基、シクロペンチル基、シクロヘキシル基等のシクロアルキル基、及びこれらのフッ素置換された基、特にトリフロロプロピル基、ヘプタデカフロロデシル基等が挙げられる。また、前記炭素原子数６以上３０以下のアリール基としては、特に制限されないが、フェニル基及びトリル基が挙げられる。さらに、前記炭素原子数７以上３０以下のアラルキル基としては、特に制限されないが、ベンジル基、及びフェネチル基等が挙げられる。
【００２７】
好ましくは、Ｒ１は炭素原子数１以上１５以下のアルキル基、又はフェニル基であり、より好ましくはメチル基及びブチル基である。さらに、式（１）で示されるオルガノポリシロキサン１分子に含まれるＲ１の５０％以上がメチル基であることが好ましく、Ｒ１の７０％以上がメチル基であることがより好ましい。
【００２８】
上記式（１）中、Ｒ２は、互いに独立に、炭素原子数２以上１５以下の酸素原子を介してもよい２価の有機基である。Ｒ２としては、特に制限されないが、−（ＣＨ２）２−、−（ＣＨ２）３−、−（ＣＨ２）４−、−ＣＨ２ＣＨ（ＣＨ３）ＣＨ２−、−（ＣＨ２）８−、−（ＣＨ２）１１−、−（ＣＨ２）３−Ｏ−（ＣＨ２）２−、−（ＣＨ２）２−Ｏ−（ＣＨ２）３−が例示され、好ましくは、−（ＣＨ２）２−、−（ＣＨ２）３−、−ＣＨ２ＣＨ（ＣＨ３）ＣＨ２−である。
【００２９】
上記式（１）中、Ｒ３は、互いに独立に、下記式（２）で示されるポリオキシアルキレン基、
【化１１】
0005575685.tif 000012
（上記式（２）中、Ｒ４は、水素原子又は炭素原子数１以上２０以下のアルキル基であり、ａ〜ｄは０〜５０の整数で、かつ１≦（ａ＋ｂ＋ｃ＋ｄ）≦５０を満たす整数である。）
及び下記式（３）で示される基から選ばれる基であって、
【化１２】
0005575685.tif 000013
（上記式（３）中、Ｒ１、Ｒ２は前記と同様である。ｍは０〜３００の整数である。）
一分子中少なくともひとつは上記式（２）で示されるポリオキシアルキレン基である。上記式（２）は、エチレンオキサイド（Ｃ２Ｈ４Ｏ）、プロピレンオキサイド（Ｃ３Ｈ６Ｏ）、ブチレンオキサイド（Ｃ４Ｈ８Ｏ）、ペンチレンオキサイド（Ｃ５Ｈ１０Ｏ）からなる繰返し単位を少なくとも一つ有し、これらのランダム、或いはブロック共重合体からなる基でもよく、好ましくはエチレンオキサイド、プロピレンオキサイド、及びエチレンオキサイド・プロピレンオキサイド共重合体からなる基である。
【００３０】
上記式（２）中、Ｒ４は、水素原子又は炭素原子数１以上２０以下のアルキル基であり、ａ〜ｄは０〜５０の整数で、かつ１≦（ａ＋ｂ＋ｃ＋ｄ）≦５０を満たす整数である。Ｒ４における前記炭素原子数１以上２０以下のアルキル基としては、特に制限されないが、メチル基、エチル基、ブチル基、オクチル基、ラウリル基、ステアリル基等が挙げられ、Ｒ４としては、好ましくは水素原子、メチル基、ブチル基である。
【００３１】
また、上記式（２）中、ａ〜ｄは０〜５０の整数で、かつ１≦（ａ＋ｂ＋ｃ＋ｄ）≦５０を満たす整数である。ｄは０が好ましく、ａ〜ｄの和は１≦（ａ＋ｂ＋ｃ＋ｄ）≦３０が好ましく、より好ましくは１≦（ａ＋ｂ＋ｃ＋ｄ）≦２０である。
【００３２】
上記式（３）中、Ｒ１、Ｒ２は前記と同様である。ｍは０〜３００の整数である。
【００３３】
また、上記式（１）中、ｍは０〜３００の整数であり、ｎは１〜１０の整数である。ｍとしては、好ましくは０〜１５０であり、より好ましくは２〜１００である。また、ｎとしては好ましくは１〜６、より好ましくは２〜５である。
【００３４】
このような本発明のオルガノポリシロキサンとしては、特に前記Ｒ２は−Ｃ３Ｈ６−で示される２価の有機基が好ましく、前記Ｒ３は下記式（４）
【化１３】
0005575685.tif 000014
［上記式（４）中、ａ及びｂは０〜５０の整数で、かつ１≦（ａ＋ｂ）≦５０を満たす整数であり、Ｒ４は前記同様である。］
で示されるポリオキシアルキレン基であることが好ましい。このようなＲ２及びＲ３であれば、一層、乳化安定性が良好で、さらには粉体を含む場合は粉体の分散安定性が良好であり、且つ、経時安定性及び皮膚密着性に優れたオルガノポリシロキサンとなる。このようなオルガノポリシロキサンは下記式（５）で示される。
【化１４】
0005575685.tif 000015
［上記式（５）中、Ｒ１、ｎ、及びｍは上記と同様であり、Ｒ３’は上記式（４）で示されるポリオキシアルキレン基である。］
【００３５】
また、前記オルガノポリシロキサンとしては、前記Ｒ２は−Ｃ３Ｈ６−で示される２価の有機基であり、前記Ｒ３は、互いに独立に、下記式（４）で示されるポリオキシアルキレン基又は前記式（３）で示される基であり、
【化１５】
0005575685.tif 000016
［上記式（４）中、ａ及びｂは０〜５０の整数で、かつ１≦（ａ＋ｂ）≦５０を満たす整数であり、Ｒ４は前記同様である。］
前記ｎは２〜１０の整数であることも好ましい。このようなＲ２、Ｒ３、及びｎであれば、一層、乳化安定性が良好で、さらには粉体を含む場合は粉体の分散安定性が良好であり、且つ、経時安定性及び皮膚密着性に優れたオルガノポリシロキサンとなる。このようなオルガノポリシロキサンは下記式（６）で示される。
【化１６】
0005575685.tif 000017
［上記式（６）中、Ｒ１及びｍは上記と同様であり、Ｒ３’’は上記式（４）で示されるポリオキシアルキレン基である。またｅ及びｆは１〜９の整数で、かつ２≦（ｅ＋ｆ）≦１０を満たす整数である。］
【００３６】
［オルガノポリシロキサンの合成方法］
本発明のオルガノポリシロキサンの合成方法としては、特に制限されないが、以下の合成方法を例示することができる。
（工程１：アルケニル基を有するポリグリセリン化合物の合成）
モノアルケニルグリシジルエーテル、グリシドールなどのエポキシ化合物、グリセリン、グリセリンモノアリルエーテル等の水酸基を有する化合物を、アルカリ触媒存在下で、エポキシの開環反応を行うことで、アルケニル基を有するポリグリセリン化合物を合成する。各原料の配合モル比を変えることで、種々の重合度の化合物を合成することができる。
【００３７】
（工程２：ポリオキシアルキレン基含有化合物の合成）
工程１で得られたアルケニル基を有するポリグリセリン化合物の水酸基を起点にアルカリ触媒存在下、アルキレンオキサイドを開環反応し、ポリオキシアルキレン基含有化合物を合成する。
【００３８】
（工程３：ポリオキシアルキレン基含有オルガノポリシロキサンの合成）
工程２で得られた化合物と片末端ハイドロジェンポリシロキサンを白金触媒又はロジウム触媒の存在下にアルケニル基とＳｉ−Ｈ基との付加反応により、ポリオキシアルキレン基含有オルガノポリシロキサンを合成する。
【００３９】
工程１、工程２における水酸基とエポキシの開環反応は公知であり、アルカリ触媒としては、特に制限されないが、ＫＯＨ、ＮａＯＨ，ＮａＯＣＨ３などが使用できる。アルカリ触媒の添加量は水酸基を有する化合物を１００モル％として０．２〜２モル％であり、好ましくは０．２〜１モル％である。
【００４０】
工程１の反応時には、原料の配合組成によりさまざまな異性体を含むこともある。一例を示すと、２モルのアリルグリシジルエーテルとグリセリンとの反応では、異性体として下記が含まれる混合物となる。
【化１７】
0005575685.tif 000018
【００４１】
工程３の付加反応は、白金触媒又はロジウム触媒の存在下で行うことが望ましく、例えば、塩化白金酸、アルコール変性塩化白金酸、塩化白金酸−ビニルシロキサン錯体等が好適に使用される。なお、触媒の使用量は、触媒として有効な量であってよいが、白金又はロジウム量で５０ｐｐｍ以下、好ましくは２０ｐｐｍ以下である。
【００４２】
上記工程３の付加反応は、必要に応じて有機溶剤中で行ってもよく、有機溶剤としては、例えばトルエン、キシレン等の芳香族炭化水素、エタノール、イソプロピルアルコール等の低級アルコール、ｎ−ペンタン、ｎ−ヘキサン、シクロヘキサン等の脂肪族または脂環式炭化水素、ジクロロメタン、クロロホルム、四塩化炭素等のハロゲン化炭化水素、テトラヒドロフラン、ジオキサンなどのエーテル、アセトン、メチルエチルケトンなどのケトンが挙げられる。好ましくは炭化水素溶剤又は低級アルコールを使用する。
【００４３】
付加反応条件は特に限定されないが、溶剤を用いた場合にはその還流下で、１〜１０時間反応させることが好適である。
【００４４】
［化粧料］
以上のようにして合成された本発明のオルガノポリシロキサンは、皮膚や毛髪に外用される化粧料に好適に使用される。本発明では前記オルガノポリシロキサンを、化粧料総質量の０．１〜４０質量％含有するものであることを特徴とする化粧料を提供する。このような化粧料であれば、乳化安定性が良好で、さらには粉体を含む場合は粉体の分散安定性が良好であり、且つ、経時安定性及び皮膚密着性に優れ、化粧持続性に優れた化粧料となるため好ましい。前記オルガノポリシロキサンの配合量は、化粧品総質量の０．１〜４０質量％であり、好ましくは０．５〜２０質量％の範囲が好適である。
【００４５】
また、本発明の化粧料は、さらに水を含み、エマルジョンの形態であることが好ましい。このように水を含んでも、安定に乳化し、さらには粉体を含む場合は安定に粉体が分散し、且つ、経時安定性及び皮膚密着性に優れ、化粧持続性に優れた化粧料となるため好ましい。特に、極性溶剤として水を含む化粧料の乳化剤として本発明のオルガノポリシロキサンを含めることができる。
【００４６】
また、本発明の化粧料は、さらにシリコーンオイル、グリコール、エステル油、グリセライド油及びこれらの混合物のいずれかを含み、非水エマルジョンの形態であることが好ましい。このようにシリコーンオイルなどを含んでも、安定に乳化し、さらには粉体を含む場合は安定に粉体が分散し、且つ、経時安定性及び皮膚密着性に優れ、化粧持続性に優れた化粧料となるため好ましい。特に、化粧料に慣用されているシリコーンオイル、グリコール、エステル油、グリセライド油等の極性溶剤を含む化粧料の乳化剤として本発明のオルガノポリシロキサンを含めることができる。このようなシリコーンオイル、グリコール、エステル油、グリセライド油等は下記で例示する。
【００４７】
また、本発明の化粧料は、さらに粉体を含み、該粉体が分散された、液状、ペースト状又は固体状であることが好ましい。このような粉体を含有する化粧料において前記オルガノポリシロキサンを配合すると、粉体処理効果（耐水性、耐皮脂性、油剤への分散安定性）により、粉体が高度に分散された化粧料を形成することができる。特に、粉体を含む化粧料の分散剤として好適である。粉体を含む化粧料の場合には、前記オルガノポリシロキサンの配合量は、粉体１００質量部に対して１〜４０質量部、好ましくは１〜２０質量部用いることが好ましい。
【００４８】
［その他の成分］
本発明の化粧料は、本発明の目的を阻害しない範囲でその他の成分を含むことができる。以下、例示する。
【００４９】
（油剤）
本発明の化粧料には、その目的に応じて１種又は２種以上の油剤を配合することができる。通常の化粧料に使用されるものであれば、固体、半固体、液状、いずれの油剤も使用することができ、例えば、天然動植物油脂類及び半合成油脂、炭化水素油、高級脂肪酸、高級アルコール、エステル油、グリセライド油、慣用のシリコーン油、フッ素系油剤を用いることができる。
【００５０】
前記天然動植物油脂類及び半合成油脂としては、例えばアボガド油、アマニ油、アーモンド油、イボタロウ、エノ油、オリーブ油、カカオ脂、カポックロウ、カヤ油、カルナウバロウ、肝油、キャンデリラロウ、精製キャンデリラロウ、牛脂、牛脚脂、牛骨脂、硬化牛脂、キョウニン油、鯨ロウ、硬化油、小麦胚芽油、ゴマ油、コメ胚芽油、コメヌカ油、サトウキビロウ、サザンカ油、サフラワー油、シアバター、シナギリ油、シナモン油、ジョジョバロウ、スクワラン、スクワレン、セラックロウ、タートル油、大豆油、茶実油、ツバキ油、月見草油、トウモロコシ油、豚脂、ナタネ油、日本キリ油、ヌカロウ、胚芽油、馬脂、パーシック油、パーム油、パーム核油、ヒマシ油、硬化ヒマシ油、ヒマシ油脂肪酸メチルエステル、ヒマワリ油、ブドウ油、ベイベリーロウ、ホホバ油、マカデミアナッツ油、ミツロウ、ミンク油、メドウフォーム油、綿実油、綿ロウ、モクロウ、モクロウ核油、モンタンロウ、ヤシ油、硬化ヤシ油、トリヤシ油脂肪酸グリセライド、羊脂、落花生油、ラノリン、液状ラノリン、還元ラノリン、ラノリンアルコール、硬質ラノリン、酢酸ラノリン、酢酸ラノリンアルコール、ラノリン脂肪酸イソプロピル、ＰＯＥラノリンアルコールエーテル、ＰＯＥラノリンアルコールアセテート、ラノリン脂肪酸ポリエチレングリコール、ＰＯＥ水素添加ラノリンアルコールエーテル、卵黄油等が挙げられる。但し、ＰＯＥはポリオキシエチレンを意味する。
【００５１】
炭化水素油としては、直鎖状、分岐状、さらに揮発性の炭化水素油等が挙げられ、具体的には、オゾケライト、α−オレフィンオリゴマー、軽質イソパラフィン、イソドデカン、イソヘキサデカン、軽質流動イソパラフィン、スクワラン、合成スクワラン、植物性スクワラン、スクワレン、セレシン、パラフィン、パラフィンワックス、ポリエチレンワックス、ポリエチレン・ポリプロピレンワックス、（エチレン／プロピレン／スチレン）コポリマー、（ブチレン／プロピレン／スチレン）コポリマー、流動パラフィン、流動イソパラフィン、プリスタン、ポリイソブチレン、水添ポリイソブテン、マイクロクリスタリンワックス、ワセリン等；高級脂肪酸としては、ラウリン酸、ミリスチン酸、パルミチン酸、ステアリン酸、ベヘン酸、ウンデシレン酸、オレイン酸、リノール酸、リノレン酸、アラキドン酸、エイコサペンタエン酸（ＥＰＡ）、ドコサヘキサエン酸（ＤＨＡ）、イソステアリン酸、１２−ヒドロキシステアリン酸等が挙げられる。
【００５２】
高級アルコールとしては、ラウリルアルコール、ミリスチルアルコール、パルミチルアルコール、ステアリルアルコール、ベヘニルアルコール、ヘキサデシルアルコール、オレイルアルコール、イソステアリルアルコール、ヘキシルドデカノール、オクチルドデカノール、セトステアリルアルコール、２−デシルテトラデシノール、コレステロール、フィトステロール、ＰＯＥコレステロールエーテル、モノステアリルグリセリンエーテル（バチルアルコール）、モノオレイルグリセリルエーテル（セラキルアルコール）等が挙げられる。
【００５３】
エステル油としては、アジピン酸ジイソブチル、アジピン酸２−ヘキシルデシル、アジピン酸ジ−２−ヘプチルウンデシル、モノイソステアリン酸Ｎ−アルキルグリコール、イソステアリン酸イソセチル、トリイソステアリン酸トリメチロールプロパン、ジ−２−エチルヘキサン酸エチレングリコール、２−エチルヘキサン酸セチル、トリ−２−エチルヘキサン酸トリメチロールプロパン、テトラ−２−エチルヘキサン酸ペンタエリスリトール、オクタン酸セチル、オクチルドデシルガムエステル、オレイン酸オレイル、オレイン酸オクチルドデシル、オレイン酸デシル、ジオクタン酸ネオペンチルグリコール、ジカプリン酸ネオペンチルグリコール、クエン酸トリエチル、コハク酸２−エチルヘキシル、酢酸アミル、酢酸エチル、酢酸ブチル、ステアリン酸イソセチル、ステアリン酸ブチル、セバシン酸ジイソプロピル、セバシン酸ジ−２−エチルヘキシル、乳酸セチル、乳酸ミリスチル、イソノナン酸イソノニル、イソノナン酸イソトリデシル、パルミチン酸イソプロピル、パルミチン酸２−エチルヘキシル、パルミチン酸２−ヘキシルデシル、パルミチン酸２−ヘプチルウンデシル、１２−ヒドロキシステアリル酸コレステリル、ジペンタエリスリトール脂肪酸エステル、ミリスチン酸イソプロピル、ミリスチン酸オクチルドデシル、ミリスチン酸２−ヘキシルデシル、ミリスチン酸ミリスチル、ジメチルオクタン酸ヘキシルデシル、ラウリン酸エチル、ラウリン酸ヘキシル、Ｎ−ラウロイル−Ｌ−グルタミン酸−２−オクチルドデシルエステル、ラウロイルサルコシンイソプロピルエステル、リンゴ酸ジイソステアリル等；グリセライド油としては、アセトグリセリル、トリイソオクタン酸グリセリル、トリイソステアリン酸グリセリル、トリイソパルミチン酸グリセリル、トリベヘン酸グリセリル、モノステアリン酸グリセリル、ジ−２−ヘプチルウンデカン酸グリセリル、トリミリスチン酸グリセリル、ミリスチン酸イソステアリン酸ジグリセリル等が挙げられる。
【００５４】
シリコーン油としては、ジメチルポリシロキサン、トリストリメチルシロキシメチルシラン、カプリリルメチコン、フェニルトリメチコン、テトラキストリメチルシロキシシラン、メチルフェニルポリシロキサン，メチルヘキシルポリシロキサン、メチルハイドロジェンポリシロキサン、ジメチルシロキサン・メチルフェニルシロキサン共重合体等の低粘度から高粘度の直鎖或いは分岐状のオルガノポリシロキサン、オクタメチルシクロテトラシロキサン、デカメチルシクロペンタシロキサン、ドデカメチルシクロヘキサシロキサン，テトラメチルテトラハイドロジェンシクロテトラシロキサン、テトラメチルテトラフェニルシクロテトラシロキサン等の環状オルガノポリシロキサン、アミノ変性オルガノポリシロキサン、ピロリドン変性オルガノポリシロキサン、ピロリドンカルボン酸変性オルガノポリシロキサン、高重合度のガム状ジメチルポリシロキサン、ガム状アミノ変性オルガノポリシロキサン、ガム状のジメチルシロキサン・メチルフェニルシロキサン共重合体等のシリコーンゴム、及びシリコーンガムやゴムの環状オルガノポリシロキサン溶液、トリメチルシロキシケイ酸、トリメチルシロキシケイ酸の環状シロキサン溶液、ステアロキシリコーン等の高級アルコキシ変性シリコーン、高級脂肪酸変性シリコーン、アルキル変性シリコーン、長鎖アルキル変性シリコーン、アミノ酸変性シリコーン、フッ素変性シリコーン、シリコーン樹脂及びシリコーンレジンの溶解物等が挙げられる。
【００５５】
フッ素系油剤としては、パーフルオロポリエーテル、パーフルオロデカリン、パーフルオロオクタン等が挙げられる。これら油剤の配合量は、剤系によっても異なるが、化粧料全体の１〜９８質量％の範囲が好適である。
【００５６】
（水）
本発明の化粧料には、その目的に応じて水を配合することも出来る。その配合量は、剤系によっても異なるが、化粧料全体の１〜９５質量％の範囲が好適である。
【００５７】
（アルコール）
本発明の化粧料には、その目的に応じて、炭素原子数２以上５以下の低級アルコール、炭素原子数２以上１０以下の多価アルコールを１種又は２種以上用いることもできる。該アルコールとしては、エタノール、イソプロパノール等の低級アルコール、ソルビトール、マルトース等の糖アルコール等があり、コレステロール、シトステロール、フィトステロール、ラノステロール等のステロール、ブチレングリコール、プロピレングリコール、ジブチレングリコール、ペンチレングリコール等の多価アルコール等がある。配合量としては、化粧料全体の０．１〜９８質量％の範囲が好適である。
【００５８】
（水溶性或いは水膨潤性高分子）
本発明の化粧料には、その目的に応じて水溶性或いは水膨潤性高分子を用いることができる。なかでも、植物系高分子、微生物系高分子、動物系高分子、デンプン系高分子、セルロース系高分子、アルギン酸系高分子、ポリオキシエチレンポリオキシプロピレン共重合体系高分子、アクリル系高分子、及び無機系水溶性高分子から選ばれる１種又は２種以上の水溶性増粘剤が好ましく使用される。例えば、アラビアゴム、トラガカント、ガラクタン、キャロブガム、グアーガム、カラヤガム、カラギーナン、ペクチン、寒天、クインスシード（マルメロ）、デンプン（コメ、トウモロコシ、バレイショ、コムギ等）、アルゲコロイド、トラントガム、ローカストビーンガム等の植物系高分子、キサンタンガム、デキストラン、サクシノグルカン、プルラン等の微生物系高分子、コラーゲン、カゼイン、アルブミン、ゼラチン等の動物系高分子、カルボキシメチルデンプン、メチルヒドロキシプロピルデンプン等のデンプン系高分子、メチルセルロース、エチルセルロース、メチルヒドロキシプロピルセルロース、カルボキシメチルセルロース、ヒドロキシメチルセルロース、ヒドロキシプロピルセルロース、ニトロセルロース、セルロース硫酸ナトリウム、カルボキシメチルセルロースナトリウム、結晶セルロース、セルロース末のセルロース系高分子、アルギン酸ナトリウム、アルギン酸プロピレングリコールエステル等のアルギン酸系高分子、ポリビニルメチルエーテル、カルボキシビニルポリマー等のビニル系高分子、ポリオキシエチレン系高分子、ポリオキシエチレンポリオキシプロピレン共重合体系高分子、ポリアクリル酸ナトリウム、ポリエチルアクリレート、ポリアクリルアミド、アクリロイルジメチルタウリン塩コポリマー等のアクリル系高分子、ポリエチレンイミン、カチオンポリマーなど他の合成水溶性高分子、ベントナイト、ケイ酸アルミニウムマグネシウム、モンモリロナイト、バイデライト、ノントロナイト、サポナイト、ヘクトライト、無水ケイ酸等の無機系水溶性高分子などがある。配合量としては、化粧料全体の０．１〜２５質量％の範囲が好適である。
【００５９】
（粉体）
本発明の化粧料には、その目的に応じて、粉体を１種又は２種以上、用いることもできる。粉体としては、通常の化粧料に使用されるものであれば、その形状（球状、針状、板状等）や粒子径（煙霧状、微粒子、顔料級等）、粒子構造（多孔質、無孔質等）を問わず、いずれのものも使用することができ、例えば無機粉体、有機粉体、界面活性剤金属塩粉体、有色顔料、パール顔料、金属粉末顔料、天然色素等があげられ、具体的には、無機粉体としては、酸化チタン、酸化ジルコニウム、酸化亜鉛、酸化セリウム、酸化マグネシウム、硫酸バリウム、硫酸カルシウム、硫酸マグネシウム、炭酸カルシウム、炭酸マグネシウム、タルク、マイカ、カオリン、セリサイト、白雲母、合成雲母、金雲母、紅雲母、黒雲母、リチア雲母、ケイ酸、無水ケイ酸、ケイ酸アルミニウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、ベントナイト、モンモリロナイト、ヘクトライト、ゼオライト、セラミックスパウダー、第二リン酸カルシウム、アルミナ、水酸化アルミニウム、窒化ホウ素、窒化ボロン、シリカ等；有機粉体としては、ポリアミドパウダー、ポリエステルパウダー、ポリエチレンパウダー、ポリプロピレンパウダー、ポリスチレンパウダー、ポリウレタン、ベンゾグアナミンパウダー、ポリメチルベンゾグアナミンパウダー、テトラフルオロエチレンパウダー、ポリメチルメタクリレートパウダー、セルロース、シルクパウダー、ナイロンパウダー、１２ナイロン、６ナイロン、シリコーンパウダー、スチレン・アクリル酸共重合体、ジビニルベンゼン・スチレン共重合体、ビニル樹脂、尿素樹脂、フェノール樹脂、フッ素樹脂、ケイ素樹脂、アクリル樹脂、メラミン樹脂、エポキシ樹脂、ポリカーボネイト樹脂、微結晶繊維粉体、デンプン末、ラウロイルリジン等；界面活性剤金属塩粉体（金属石鹸）としては、ステアリン酸亜鉛、ステアリン酸アルミニウム、ステアリン酸カルシウム、ステアリン酸マグネシウム、ミリスチン酸亜鉛、ミリスチン酸マグネシウム、セチルリン酸亜鉛、セチルリン酸カルシウム、セチルリン酸亜鉛ナトリウム等；有色顔料としては、酸化鉄、水酸化鉄、チタン酸鉄の無機赤色顔料、γー酸化鉄等の無機褐色系顔料、黄酸化鉄、黄土等の無機黄色系顔料、黒酸化鉄、カーボンブラック等の無機黒色顔料、マンガンバイオレット、コバルトバイオレット等の無機紫色顔料、水酸化クロム、酸化クロム、酸化コバルト、チタン酸コバルト等の無機緑色顔料、紺青、群青等の無機青色系顔料、タール系色素をレーキ化したもの、天然色素をレーキ化したもの、及びこれらの粉体を複合化した合成樹脂粉体等；パール顔料としては、酸化チタン被覆雲母、酸化チタン被覆マイカ、オキシ塩化ビスマス、酸化チタン被覆オキシ塩化ビスマス、酸化チタン被覆タルク、魚鱗箔、酸化チタン被覆着色雲母等；金属粉末顔料としては、アルミニウムパウダー、カッパーパウダー、ステンレスパウダー等；タール色素としては、赤色３号、赤色１０４号、赤色１０６号、赤色２０１号、赤色２０２号、赤色２０４号、赤色２０５号、赤色２２０号、赤色２２���号、赤色２２７号、赤色２２８号、赤色２３０号、赤色４０１号、赤色５０５号、黄色４号、黄色５号、黄色２０２号、黄色２０３号、黄色２０４号、黄色４０１号、青色１号、青色２号、青色２０１号、青色４０４号、緑色３号、緑色２０１号、緑色２０４号、緑色２０５号、橙色２０１号、橙色２０３号、橙色２０４号、橙色２０６号、橙色２０７号等；天然色素としては、カルミン酸、ラッカイン酸、カルサミン、ブラジリン、クロシン等から選ばれる粉体である。
【００６０】
これらの粉体は本発明の効果を妨げない範囲で、粉体を複合化したものや、一般油剤、シリコーン油、フッ素化合物、界面活性剤等で処理したものも使用することができ、加水分解性シリル基やケイ素原子に直接結合した水素原子を有するアルキル基で処理したもの、加水分解性シリル基やケイ素原子に直接結合した水素原子を有する直鎖状及び／又は分岐状のオルガノポリシロキサン、加水分解性シリル基やケイ素原子に直接結合した水素原子を有し長鎖アルキルで共変性された直鎖状及び／又は分岐状オルガノポリシロキサン、加水分解性シリル基やケイ素原子に直接結合した水素原子を有しポリオキシアルキレンで共変性された直鎖状及び／又は分岐状オルガノポリシロキサン、加水分解性シリル基やケイ素原子に直接結合した水素原子を有するアクリル−シリコーン系共重合体等も必要に応じて一種、又は二種以上用いることができる。
【００６１】
また、粉体の配合量としては、化粧料全体の０．１〜９９質量％の範囲が好適である。特に、粉末固形化粧料の場合の配合量としては、化粧料全体の８０〜９９質量％の範囲が好適である。
【００６２】
（界面活性剤）
本発明の化粧料には、その目的に応じて１種又は２種以上の界面活性剤を用いることもできる。このような界面活性剤としては、アニオン性、カチオン性、非イオン性及び両性活性剤があるが、特に制限されるものではなく、通常の化粧料に使用されるものであれば、いずれのものも使用することができる。
【００６３】
アニオン性界面活性剤としては、ステアリン酸ナトリウムやパルミチン酸トリエタノールアミン等の脂肪酸セッケン、アルキルエーテルカルボン酸及びその塩、アミノ酸と脂肪酸の縮合物塩、アルカンスルホン酸塩、アルケンスルホン酸塩、脂肪酸エステルのスルホン酸塩、脂肪酸アミドのスルホン酸塩、ホルマリン縮合系スルホン酸塩、アルキル硫酸エステル塩、第二級高級アルコール硫酸エステル塩、アルキル及びアリルエーテル硫酸エステル塩、脂肪酸エステルの硫酸エステル塩、脂肪酸アルキロールアミドの硫酸エステル塩、ロート油等の硫酸エステル塩類、アルキルリン酸塩、エーテルリン酸塩、アルキルアリルエーテルリン酸塩、アミドリン酸塩、Ｎ−アシル乳酸塩、Ｎ−アシルサルコシン塩、Ｎ−アシルアミノ酸系活性剤等が挙げられる。
【００６４】
カチオン性界面活性剤としては、アルキルアミン塩、ポリアミン及びアミノアルコール脂肪酸誘導体等のアミン塩、アルキル四級アンモニウム塩、芳香族四級アンモニウム塩、ピリジウム塩、イミダゾリウム塩等が挙げられる。
【００６５】
非イオン性界面活性剤としては、ソルビタン脂肪酸エステル、グリセリン脂肪酸エステル、ポリグリセリン脂肪酸エステル、プロピレングリコール脂肪酸エステル、ポリエチレングリコール脂肪酸エステル、ショ糖脂肪酸エステル、メチルグルコシド脂肪酸エステル、アルキルポリグルコシド、ポリオキシエチレンアルキルエーテル、ポリオキシプロピレンアルキルエーテル、ポリオキシエチレンアルキルフェニルエーテル、ポリオキシエチレン脂肪酸エステル、ポリオキシエチレンソルビタン脂肪酸エステル、ポリオキシエチレンソルビトール脂肪酸エステル、ポリオキシエチレングリセリン脂肪酸エステル、ポリオキシエチレンプロピレングリコール脂肪酸エステル、ポリオキシエチレンヒマシ油、ポリオキシエチレン硬化ヒマシ油、ポリオキシエチレンフィトスタノールエーテル、ポリオキシエチレンフィトステロールエーテル、ポリオキシエチレンコレスタノールエーテル、ポリオキシエチレンコレステリルエーテル、直鎖或いは分岐状ポリオキシアルキレン変性オルガノポリシロキサン、直鎖或いは分岐状ポリオキシアルキレン・アルキル共変性オルガノポリシロキサン、直鎖状或いは分岐状のポリグリセリン変性オルガノポリシロキサン、直鎖状或いは分岐状ポリグリセリン・アルキル共変性オルガノポリシロキサン、アルカノールアミド、糖エーテル、糖アミド等が挙げられる。
【００６６】
両性界面活性剤としては、ベタイン、ホスファチジルコリン、アミノカルボン酸塩、イミダゾリン誘導体、アミドアミン型等が挙げられる。これらの界面活性剤の中でも、分子中にポリオキシアルキレン鎖、または、ポリグリセリン鎖を有する直鎖又は分岐状オルガノポリシロキサン、或いはさらに炭素数６〜２０の長鎖アルキル基を有する直鎖又は分岐状オルガノポリシロキサンであることが好ましい。
【００６７】
また、これらの界面活性剤において、親水性のポリオキシアルキレン基、またはポリグリセリン残基の含有量が、分子中の１０〜７０質量％を占めることが好ましく、配合量としては、化粧料全体の０．１〜２０質量％、特に好ましくは、０．２〜１０質量％の範囲が好適である。
【００６８】
（シリコーン樹脂）
本発明の化粧料には、その目的に応じて１種又は２種以上のアクリルシリコーン樹脂及び網状シリコーン樹脂から選ばれるシリコーン樹脂を含んでよい。アクリルシリコーン樹脂はアクリル／シリコーングラフト又はブロック共重合体である。また、ピロリジニル基、長鎖アルキル基、ポリオキシアルキレン基分及びフルオロアルキル基、カルボキシル基などのアニオン性の基の中から選択される少なくとも１種を分子中に含有するアクリルシリコーン樹脂を使用することもできる。
【００６９】
網状シリコーン樹脂はＲ３ＳｉＯ０．５単位とＳｉＯ２単位から構成される樹脂、Ｒ３ＳｉＯ０．５単位とＲ２ＳｉＯ単位及びＳｉＯ２単位から構成される樹脂、Ｒ３ＳｉＯ０．５単位とＲＳｉＯ１．５単位から構成される樹脂、Ｒ３ＳｉＯ０．５単位とＲ２ＳｉＯ単位及びＲＳｉＯ１．５単位から構成される樹脂、Ｒ３ＳｉＯ０．５単位、Ｒ２ＳｉＯ単位、ＲＳｉＯ１．５単位及びＳｉＯ２単位から構成される樹脂から選ばれる。ここでＲは有機基を示す。また、ピロリジニル基、長鎖アルキル基、ポリオキシアルキレン基及びフルオロアルキル基、アミノ基の中から選択される少なくとも１種を分子中に含有する網状シリコーンを使用することもできる。シリコーン樹脂を用いる場合の配合量としては、化粧料の総量に対して０．１〜２０質量％が好ましく、更に好ましくは１〜１０質量％である。
【００７０】
（架橋型オルガノポリシロキサンと室温で液状の油剤からなる組成物）
本発明の化粧料には、その目的に応じて１種又は２種以上の架橋型オルガノポリシロキサンと室温で液状の油剤からなる組成物を用いることもできる。この架橋型オルガノポリシロキサンは、液状油に対し、自重以上の該液状油を含んで膨潤することが好ましい。液状油としては、上記液状のシリコーン油、炭化水素油、エステル油、天然動植物油、半合成油等、フッ素系油を用いることができ、たとえば、０．６５ｍｍ２／秒（２５℃）〜１００．０ｍｍ２／秒（２５℃）の低粘度シリコーン油、流動パラフィン、スクワラン、イソドデカン、イソヘキサデカン等の炭化水素油やトリオクタノイン等のグリセライド油、イソノナン酸イソトリデシル、Ｎ−アシルグルタミン酸エステル、ラウロイルサルコシン酸エステル等のエステル油、マカデミアナッツ油などの天然動植物油が挙げられる。また、この架橋型オルガノポリシロキサンの架橋剤は、分子中に二つ以上のビニル性反応部位を持ち、かつ、ケイ素原子に直接結合した水素原子との間で反応することにより、架橋構造を形成するものであることが好ましい。分子中に二つ以上のビニル性反応部位を持つものとしては、分子中に二つ以上のビニル基を有するオルガノポリシロキサン、分子中に二つ以上のアリル基を有するポリオキシアルキレン、分子中に二つ以上のアリル基を有するポリグリセリン、α、ω−アルケニルジエンなどが挙げられる。また、ポリオキシアルキレン基、ポリグリセリン残基、長鎖アルキル基、アルケニル基、アリール基、及びフルオロアルキル基からなる群から選択される少なくとも１種を有する架橋剤を使用することもできる。架橋型オルガノポリシロキサンと室温で液状の油剤からなる組成物を用いる場合の配合量としては、化粧料の総量に対して０．１〜８０質量％が好ましく、更に好ましくは１〜５０質量％である。
【００７１】
（シリコーン変性オレフィンワックス）
本発明の化粧料には、その目的に応じて１種又は２種以上のα−オレフィンとジエンを反応させて得られる不飽和基を有するオレフィンワックスと１分子１個以上のＳｉＨ結合を有するオルガノハイドロジェンポリシロキサンとを付加反応させることによって得られるシリコーン変性オレフィンワックスを含むことができる。α−オレフィンとしてはエチレン、プロピレン、１−ブテン、１−ヘキセン、４−メチル１−ペンテンなどの炭素原子数２〜１２が好ましく、ジエンとしてはブタジエン、イソプレン、１．４ヘキサジエン、ビニルノルボルネン、エチリデンノルボルネン、ジシクロペンタジエン、などが好ましい。ＳｉＨ結合を有するオルガノハイドロジェンポリシロキサンは直鎖状やシロキサン分岐型等の構造のものが使用できる。
【００７２】
（その他の添加成分）
更に本発明の化粧料には、本発明の効果を妨げない範囲で通常の化粧料に使用される成分、油溶性ゲル化剤、有機変性粘土鉱物、制汗剤、紫外線吸収剤、紫外線吸収散乱剤、保湿剤、防菌防腐剤、抗菌剤、香料、塩類、酸化防止剤、ｐＨ調整剤、キレート剤、清涼剤、抗炎症剤、美肌用成分（美白剤、細胞賦活剤、肌荒れ改善剤、血行促進剤、皮膚収斂剤、抗脂漏剤等）、ビタミン類、アミノ酸類、核酸、ホルモン、包接化合物、毛髪用固形化剤等を添加することができる。
【００７３】
油溶性ゲル化剤としては、アルミニウムステアレート、マグネシウムステアレート、ジンクミリステート等の金属セッケン、Ｎ−ラウロイル−Ｌ−グルタミン酸、α，γ−ジ−ｎ−ブチルアミン等のアミノ酸誘導体、デキストリンパルミチン酸エステル、デキストリンステアリン酸エステル、デキストリン２−エチルヘキサン酸パルミチン酸エステル等のデキストリン脂肪酸エステル、ショ糖パルミチン酸エステル、ショ糖ステアリン酸エステル等のショ糖脂肪酸エステル、フラクトオリゴ糖ステアリン酸エステル、フラクトオリゴ糖２−エチルヘキサン酸エステル等のフラクトオリゴ糖脂肪酸エステル、モノベンジリデンソルビトール、ジベンジリデンソルビトール等のソルビトールのベンジリデン誘導体、ジメチルベンジルドデシルアンモニウムモンモリロナイトクレー、ジメチルジオクタデシルアンモニウムモンモリナイトクレー等の有機変性粘土鉱物等から選ばれるゲル化剤が挙げられる。
【００７４】
制汗剤としては、アルミニウムクロロハイドレート、塩化アルミニウム、アルミニウムセスキクロロハイドレート、ジルコニルヒドロキシクロライド、アルミニウムジルコニウムヒドロキシクロライド、アルミニウムジルコニウムグリシン錯体等から選ばれる制汗剤が挙げられる。
【００７５】
紫外線吸収剤としては、パラアミノ安息香酸等の安息香酸系紫外線吸収剤、アントラニル酸メチル等のアントラニル酸系紫外線吸収剤、サリチル酸メチル、サリチル酸オクチル、サリチル酸トリメチルシクロヘキシル等のサリチル酸系紫外線吸収剤、パラメトキシケイ皮酸オクチル等のケイ皮酸系紫外線吸収剤、２，４−ジヒドロキシベンゾフェノン等のベンゾフェノン系紫外線吸収剤、ウロカニン酸エチル等のウロカニン酸系紫外線吸収剤、４−ｔ−ブチル−４’−メトキシ−ジベンゾイルメタン等のジベンゾイルメタン系紫外線吸収剤、フェニルベンズイミダゾールスルフォン酸、トリアジン誘導体等が挙げられ、紫外線吸収散乱剤としては微粒子酸化チタン、微粒子鉄含有酸化チタン、微粒子酸化亜鉛、微粒子酸化セリウム及びそれらの複合体等、紫外線を吸収散乱する粉体が挙げられ、これらの紫外線を吸収散乱する粉体をあらかじめ油剤に分散させた分散物を用いることもできる。
【００７６】
保湿剤としては、グリセリン、ソルビトール、プロピレングリコール、ジプロピレングリコール、１，３−ブチレングリコール、ペンチレングリコール、グルコース、キシリトール、マルチトール、ポリエチレングリコール、ヒアルロン酸、コンドロイチン硫酸、ピロリドンカルボン酸塩、ポリオキシエチレンメチルグルコシド、ポリオキシプロピレンメチルグルコシド、卵黄レシチン、大豆レシチン、ホスファチジルコリン、ホスファチジルエタノールアミン、ホスファジチルセリン、ホスファチジルグリセロール、ホスファチジルイノシトール、スフィンゴリン脂質等がある。
【００７７】
防菌防腐剤としては、パラオキシ安息香酸アルキルエステル、安息香酸、安息香酸ナトリウム、ソルビン酸、ソルビン酸カリウム、フェノキシエタノール等、抗菌剤としては、安息香酸、サリチル酸、石炭酸、ソルビン酸、パラオキシ安息香酸アルキルエステル、パラクロルメタクレゾール、ヘキサクロロフェン、塩化ベンザルコニウム、塩化クロルヘキシジン、トリクロロカルバニリド、感光素、フェノキシエタノール等がある。
【００７８】
香料としてはアロエ、ウコン、ウーロン茶、オリーブ、オレンジ、カンゾウ、キイチゴ、ケイヒ、サルビア、シソ、シャクヤク、ニンジン、ビワ、ベニバナ、ペパーミント、モモ、ライム、ラベンダー、緑茶、ローズマリー、ローヤルゼリー、ワイルドタイム等の抽出液等がある。
【００７９】
塩類としては無機塩、有機酸塩、アミン塩及びアミノ酸塩が挙げられる。無機塩としては、たとえば、塩酸、硫酸、炭酸、硝酸等の無機酸のナトリウム塩、カリウム塩、マグネシウム塩、カルシウム塩、アルミニウム塩、ジルコニウム塩、亜鉛塩等；有機酸塩としては、例えば酢酸、デヒドロ酢酸、クエン酸、りんご酸、コハク酸、アスコルビン酸、ステアリン酸等の有機酸類の塩；アミン塩及びアミノ酸塩としては、例えば、トリエタノールアミン等のアミン類の塩、グルタミン酸等のアミノ酸類の塩等がある。また、その他、ヒアルロン酸、コンドロイチン硫酸等の塩、アルミニウムジルコニウムグリシン錯体等や、更には、化粧品処方の中で使用される酸−アルカリの中和塩等も使用することができる。
酸化防止剤としては、トコフェロール、ｐ−ｔ−ブチルフェノール、ブチルヒドロキシアニソール、ジブチルヒドロキシトルエン、フィチン酸等、ｐＨ調整剤としては、乳酸、クエン酸、グリコール酸、コハク酸、酒石酸、ｄｌ−リンゴ酸、炭酸カリウム、炭酸水素ナトリウム、炭酸水素アンモニウム等、キレート剤としては、アラニン、エデト酸ナトリウム塩、ポリリン酸ナトリウム、メタリン酸ナトリウム、リン酸等、清涼剤としては、Ｌ−メントール、カンフル等、抗炎症剤としては、アラントイン、グリチルリチン酸及びその塩、グリチルレチン酸及びグリチルレチン酸ステアリル、トラネキサム酸、アズレン等が挙げられる。
【００８０】
美肌用成分としては、胎盤抽出液、アルブチン、グルタチオン、ユキノシタ抽出物等の美白剤、ロイヤルゼリー、感光素、コレステロール誘導体、幼牛血液抽出液等の細胞賦活剤、肌荒れ改善剤、ノニル酸ワレニルアミド、ニコチン酸ベンジルエステル、ニコチン酸β−ブトキシエチルエステル、カプサイシン、ジンゲロン、カンタリスチンキ、イクタモール、カフェイン、タンニン酸、α−ボルネオール、ニコチン酸トコフェロール、イノシトールヘキサニコチネート、シクランデレート、シンナリジン、トラゾリン、アセチルコリン、ベラパミル、セファランチン、γ−オリザノール等の血行促進剤、酸化亜鉛、タンニン酸等の皮膚収斂剤、イオウ、チアントロール等の抗脂漏剤等が挙げられる。
【００８１】
ビタミン類としては、ビタミンＡ油、レチノール、酢酸レチノール、パルミチン酸レチノール等のビタミンＡ類、リボフラビン、酪酸リボフラビン、フラビンアデニンヌクレオチド等のビタミンＢ２類、ピリドキシン塩酸塩、ピリドキシンジオクタノエート、ピリドキシントリパルミテート等のビタミンＢ６類、ビタミンＢ１２及びその誘導体、ビタミンＢ１５及びその誘導体等のビタミンＢ類、Ｌ−アスコルビン酸、Ｌ−アスコルビン酸ジパルミチン酸エステル、Ｌ−アスコルビン酸−２−硫酸ナトリウム、  Ｌ−アスコルビン酸リン酸ジエステルジカリウム等のビタミンＣ類、エルゴカルシフェロール、コレカルシフェロール等のビタミンＤ類、α−トコフェロール、β−トコフェロール、γ−トコフェロール、酢酸ｄｌ−α−トコフェロール、ニコチン酸ｄｌ−α−トコフェロール、コハク酸ｄｌ−α−トコフェロール等のビタミンＥ類、ビタミンＨ、ビタミンＰ、ニコチン酸、ニコチン酸ベンジル、ニコチン酸アミド等のニコチン酸類、パントテン酸カルシウム、Ｄ−パントテニルアルコール、パントテニルエチルエーテル、アセチルパントテニルエチルエーテル等のパントテン酸類、ビオチン等がある。
【００８２】
アミノ酸類としては、グリシン、バリン、ロイシン、イソロイシン、セリン、トレオニン、フェニルアラニン、アルギニン、リジン、アスパラギン酸、グルタミン酸、シスチン、システイン、メチオニン、トリプトファン等、核酸としては、デオキシリボ核酸等、ホルモンとしては、エストラジオール、エテニルエストラジオール等が挙げられる。
【００８３】
包接化合物としては、シクロデキストリン、クラウンエーテル類等が挙げられる。
【００８４】
毛髪固定用高分子化合物としては、両性、アニオン性、カチオン性、非イオン性の各高分子化合物が挙げられ、ポリビニルピロリドン、ビニルピロリドン／酢酸ビニル共重合体等の、ポリビニルピロリドン系高分子化合物、メチルビニルエーテル／無水マレイン酸アルキルハーフエステル共重合体等の酸性ビニルエーテル系高分子化合物、酢酸ビニル／クロトン酸共重合体等の酸性ポリ酢酸ビニル系高分子、（メタ）アクリル酸／アルキル（メタ）アクリレート共重合体、（メタ）アクリル酸／アルキル（メタ）アクリレート／アルキルアクリルアミド共重合体等の酸性アクリル系高分子化合物、Ｎ−メタクリロイルエチル−Ｎ、Ｎ−ジメチルアンモニウム・α−Ｎ−メチルカルボキシベタイン／アルキル（メタ）アクリレート共重合体、ヒドロキシプロピル（メタ）アクリレート／ブチルアミノエチルメタクリレート／アクリル酸オクチルアミド共重合体等の両性アクリル系高分子化合物が挙げられる。また、セルロースまたはその誘導体、ケラチンおよびコラーゲンまたはその誘導体等の天然由来高分子化合物も好適に用いることができる。
【００８５】
本発明において、化粧料の剤形もしくは形態は特に限定されず、水性、油性、油中水型エマルジョン、水中油型エマルジョン、非水エマルジョン、Ｗ／Ｏ／Ｗ（水／オイル／水）やＯ／Ｗ／Ｏ（オイル／水／オイル）などのマルチエマルジョン、サスペンジョン、ペースト、固形であってよい。
【００８６】
化粧料の用途も任意のものであってよい。例えば、化粧水、乳液、クリーム、クレンジング、パック、オイルリキッド、マッサージ料、美容液、美容オイル、ハンドクリーム、リップクリーム、しわ隠し等のスキンケア化粧料；メークアップ下地、コンシーラー、白粉、パウダーファンデーション、リキッドファンデーション、クリームファンデーション、油性ファンデーション、頬紅、アイシャドウ、マスカラ、アイライナー、アイブロウ、口紅等のメークアップ化粧料；シャンプー、リンス、トリートメント、セット剤等の毛髪化粧料；日焼け止めオイルや日焼け止め乳液、日焼け止めクリームなどの紫外線防御化粧料；その他、洗浄剤、脱臭剤、制汗剤等が挙げられる。
【実施例】
【００８７】
以下、本発明のオルガノポリシロキサンの合成例、及び本発明の化粧料の実施例を示して本発明をより詳細に説明するが、本発明はこれらに限定されるものではない。
【００８８】
＜合成例１＞
反応器に下記平均式（７）で表される、トリグリセリンジアリルエーテル１モルに対してエチレンオキサイドを合計９モル付加した付加化合物３５．３質量部、
【化１８】
0005575685.tif 000019
下記式（８）で表される片末端ハイドロジェンポリシロキサン４５６質量部、及び
【化１９】
0005575685.tif 000020
イソプロピルアルコール５００質量部を仕込み、塩化白金酸０．５質量％のトルエン溶液０．５質量部を加えた後、還流下で２時間反応させた。反応物を減圧下で加熱して溶剤を溜去し、下記式（９）で表されるポリオキシエチレン基含有オルガノポリシロキサンを得た。
【化２０】
0005575685.tif 000021
【００８９】
＜合成例２＞
反応器に下記平均式（１０）で表される、ペンタグリセリンジアリルエーテル１モルに対してエチレンオキサイド１０モル、プロピレンオキサイド１０モルを付加した付加化合物３７．２質量部、
【化２１】
0005575685.tif 000022
下記式（１１）で表される片末端ハイドロジェンポリシロキサン３７６質量部、及び
【化２２】
0005575685.tif 000023
イソプロピルアルコール５００質量部を仕込み、塩化白金酸０．５質量％のトルエン溶液０．５部を加えた後、還流下で２時間反応させた。反応物を減圧下で加熱して溶剤を溜去し、下記式（１２）で表されるポリオキシエチレン・ポリオキシプロピレン基含有オルガノポリシロキサンを得た。
【化２３】
0005575685.tif 000024
【００９０】
＜合成例３＞
反応器に下記平均式（１３）で表される、テトラグリセリントリアリルエーテル１モルに対してエチレンオキサイドを合計９モル付加した付加化合物４１．５質量部、
【化２４】
0005575685.tif 000025
下記式（１４）で表される片末端ハイドロジェンポリシロキサン２４０質量部、及び
【化２５】
0005575685.tif 000026
イソプロピルアルコール３００質量部を仕込み、塩化白金酸０．５質量％のトルエン溶液０．３部を加えた後、還流下で２時間反応させた。反応物を減圧下で加熱して溶剤を溜去し、下記式（１５）で表されるポリオキシエチレン基含有オルガノポリシロキサンを得た。
【化２６】
0005575685.tif 000027
【００９１】
＜合成例４＞
反応器に下記平均式（１６）で表される、モノグリセリンジアリルエーテル１モルに対してエチレンオキサイド２０モル、ブチレンオキサイド３モルを付加した付加化合物６３．４質量部、
【化２７】
0005575685.tif 000028
前記式（８）で表される片末端ハイドロジェンポリシロキサン４５６質量部、及びイソプロピルアルコール５００質量部を仕込み、塩化白金酸０．５質量％のトルエン溶液０．５部を加えた後、還流下で２時間反応させた。反応物を減圧下で加熱して溶剤を溜去し、下記式（１７）で表されるポリオキシエチレン・ポリオキシブチレン基含有オルガノポリシロキサンを得た。
【化２８】
0005575685.tif 000029
【００９２】
＜合成例５＞
反応器に前記式（７）で表される、トリグリセリンジアリルエーテル１モルに対してエチレンオキサイドを合計９モル付加した付加化合物３５．８質量部、下記式（１８）で表される片末端ハイドロジェンポリシロキサン３０６質量部、及び
【化２９】
0005575685.tif 000030
イソプロピルアルコール３００質量部を仕込み、塩化白金酸０．５質量％のトルエン溶液０．３部を加えた後、還流下で２時間反応させた。反応物を減圧下で加熱して溶剤を溜去し、下記式（１９）で表されるポリオキシエチレン基含有オルガノポリシロキサンを得た。
【化３０】
0005575685.tif 000031
【００９３】
＜合成例６＞
反応器に前記式（１０）で表される、ペンタグリセリンジアリルエーテル１モルに対してエチレンオキサイド１０モル、プロピレンオキサイド１０モル付加した付加化合物４４．６質量部、下記式（２０）で表される片末端ハイドロジェンポリシロキサン３４８質量部、及び
【化３１】
0005575685.tif 000032
イソプロピルアルコール３００質量部を仕込み、塩化白金酸０．５質量％のトルエン溶液０．３部を加えた後、還流下で２時間反応させた。反応物を減圧下で加熱して溶剤を溜去し、下記式（２１）で表されるポリオキシエチレン・ポリオキシプロピレン基含有オルガノポリシロキサンを得た。
【化３２】
0005575685.tif 000033
【００９４】
＜実施例１〜３、比較例１〜２＞
下記表１に示す組成のＷ／Ｏ型乳化物（配合量は質量％を示す）を下記方法で調製し、経時安定性の評価を行った。
（製造方法）
下記成分１〜６をデイスパーミキサーを用いて１５００ｒｐｍで攪拌混合した後、成分７、８をゆっくり添加し、乳化した。
（評価方法）
経時安定性は、得られた乳化物の１００ｇを密閉容易に入れて、５０℃で１週間静置後、その乳化状態を目視にて観察し、下記基準で評価した。
（評価基準）
○：分離なし、△：わずかに分離、×：二層分離
【００９５】
【表１】
0005575685.tif 000034
（注１）下記式で示されるオルガノポリシロキサン
【化３３】
0005575685.tif 000035
（注２）下記式で示されるオルガノポリシロキサン
【化３４】
0005575685.tif 000036
【００９６】
表１に示すように、合成例１〜３を使用した乳化物（実施例１〜３）は、５０℃１週間経過後も初期乳化状態を維持していたが、比較例１、２は油相が十分に均一ではなく乳化系の経時安定性を欠いた。
【００９７】
＜実施例４〜６，比較例３、４＞
合成例１〜３で得られたオルガノポリシロキサンを使用して、Ｗ／Ｏ型ファンデーションを作成し、経時安定性、特性評価（使用性（感触）、色調の均一性、化粧持ち（化粧持続性）を行った。
（製造方法）
Ａ：成分１〜７を加熱混合し、成分８〜１４を添加して均一にする。
Ｂ：成分１５、１６及び１８を加熱溶解する。
Ｃ：攪拌下、ＡにＢを徐添して乳化し、冷却して成分１７を添加しファンデーションを得た。
（評価方法）
経時安定性は、得られたファンデーション、１００ｇを密閉容易に入れて、５０℃で１ヶ月静置後、その乳化状態、顔料分散性を目視にて観察し、下記基準で評価した。
（評価基準）
○：分離なし、△：わずかに分離、×：二層分離
【００９８】
【表２】
0005575685.tif 000037
（注１）、（注２）は前記と同じ
（注３）疎水化処理；粉体に対して２％のメチルハイドロジェンポリシロキサン添加後、加熱処理したもの
【００９９】
表２に示すように、合成例１〜３を使用したファンデーション（実施例４〜６）は、５０℃１ヶ月経過後も初期状態を維持していたが、比較例１、２は粉体分散性が十分ではなく経時安定性を欠いた。
【０１００】
次に、実施例４〜６、比較例３、４で得られたファンデーションについて、女性５０名の専門パネルにより使用テストを行ない、使用性（感触）の良さ、色調の均一性の良さ、化粧持ちの良さについて下記評価基準で評価した。評価結果を表３に示す。
【０１０１】
［評価基準］
各評価項目毎に、全パネルの評価点の平均を取った。
５点：  非常に良好
４点：  良好
３点：  普通
２点：  やや不良
１点：  不良
表３における、各符号の意味は以下のとおりである。
得られた平均点が４．５点以上                        ◎
得られた平均点が３．５点以上４．５点未満            ○
得られた平均点が２．５点以上３．５点未満            △
得られた平均点が１．５点以上２．５点未満            ×
得られた平均点が１．５点未満                        ××
【０１０２】
【表３】
0005575685.tif 000038
【０１０３】
表３に示すように、比較例３、４のファンデーションは、塗付時の色調は良好であったが、皮膚への親和性（皮膚密着性）が弱く、化粧持ち（化粧持続性）が悪かった。これに対して、実施例４〜６のファンデーションは使用性が良く、顔料分散性が良いため、きめが細かく、色調も均一で、皮膚との親和性に優れ、化粧持ちも良かった。
【０１０４】
以下の実施例において、経時安定性は化粧料を密閉容器内に入れて５０℃で１ヶ月放置した後の外観の変化が無いことによって確認した。
【０１０５】
［実施例７：アイライナー］
（成分）                                                            （％）
１    オクタメチルシクロテトラシロキサン                          残量
２    合成例６のオルガノポリシロキサン                          ３．０
３    シリコーン樹脂（注１）                                  １５．０
４    ジオクタデシルジメチルアンモニウム塩変性モンモリロナイト  ３．０
５    シリコーン処理黒酸化鉄（注２）                          １０．０
６    １，３−ブチレングリコール                                ５．０
７    防腐剤                                                      適量
８    香料                                                        適量
９    精製水                                                  １０．０
（注１）シリコーン樹脂：［Ｍｅ３ＳｉＯ１／２］／［ＳｉＯ２］比が０．８のシリコ
ーン網状化合物の５０％−Ｄ５溶液。（Ｍｅはメチル基を示す。）
（注２）シリコーン処理黒酸化鉄：黒酸化鉄の質量に対し、２質量％のメチルハイドロ
ジェンポリシロキサン添加後、１５０℃で加熱処理したもの。
（製造方法）
Ａ：成分１〜４を混合し、成分５を加えて均一に混合分散した。
Ｂ：成分６〜７及び９を混合した。
Ｃ：Ｂで得られた混合物をＡで得られた分散物に徐添して乳化した後、成分８を加え
てアイライナーを得た。
（評価）
以上のようにして得られたアイライナーは、のびが軽くて描きやすく、べたつきがなく、温度や経時による変化もなく、化粧持ちも非常に良かった。
【０１０６】
［実施例８：サンタンクリーム］
（成分）                                                            （％）
１    デカメチルシクロペンタシロキサン                        １５．０
２    ジメチルポリシロキサン（１００ｍｍ２／ｓ）                ５．０
３    シリコーンワックス                                        ０．５
４    合成例３のオルガノポリシロキサン                          ６．０
５    パルミチン酸                                              ０．２
６    ジメチルオクチルパラアミノ安息香酸                        ０．５
７    ４−ｔ−ブチル−４’−メトキシ−ジベンゾイルメタン        ０．５
８    カオリン                                                  ０．５
９    ベンガラ                                                  ０．２
１０  黄酸化鉄                                                  ０．３
１１  黒酸化鉄                                                  ０．１
１２  酸化チタンコーテッドマイカ                                １．０
１３  Ｌ−グルタミン酸ナトリウム                                ３．０
１４  １，３−ブチレングリコール                                ５．０
１５  ジオクタデシルジメチルアンモニウムクロライド              ０．１
１６  酸化防止剤                                                  適量
１７  防腐剤                                                      適量
１８  香料                                                        適量
１９  精製水                                                      残量
（製造方法）
Ａ：成分１〜７及び１６〜１７を加熱溶解した。
Ｂ：成分１５及び１９の一部を加熱攪拌後、成分８〜１２を添加し分散処理した。
Ｃ：成分１３〜１４及び１９の残部を溶解し、Ｂで得られた分散物と混合した。
Ｄ：攪拌下、Ａで得られた混合物にＣで得られた分散物を徐添して乳化し、冷却して
成分１８を添加しサンタンクリームを得た。
（評価）
以上のようにして得られたサンタンクリームは、キメが細かく、のび広がりが軽くてべたつきがなく、みずみずしく、さっぱりとした使用感を与えると共に、経時変化も無かった。さらに化粧持ちも良かった。
【０１０７】
［実施例９：クリーム］
（成分）                                                            （％）
１    デカメチルシクロペンタシロキサン                        ２０．０
２    トリオクタン酸グリセリル                                １０．０
３    合成例２のオルガノポリシロキサン                          ４．０
４    フェニルジメチルステアリルアンモニウムクロリド            １．０
５    ジプロピレングリコ−ル                                  １０．０
６    マルチトール                                            １０．０
７    サポナイト                                                １．５
８    防腐剤                                                      適量
９    香料                                                        適量
１０  精製水                                                      残量
（製造方法）
Ａ：成分１〜４及び８を加熱混合した。
Ｂ：成分５〜７及び１０を加熱溶解した。
Ｃ：攪拌下、Ａで得られた混合物にＢで得られた溶液を徐添して乳化し、冷却して成
分９を添加し、クリームを得た。
（評価）
以上のようにして得られたクリームは、のび広がりが軽くてべたつきや油っぽさがなく、みずみずしく、さっぱりとした使用感を与えると共に、経時変化も無かった。
【０１０８】
［実施例１０：日焼け止めクリーム］
（成分）                                                            （％）
１    デカメチルシクロペンタシロキサン                        ２０．０
２    流動パラフィン                                          １０．０
３    合成例１のオルガノポリシロキサン                          ４．０
４    ４−ｔ−ブチル−４’−メトキシジベンゾイルメタン          ７．０
５    ジステアリルジメチルアンモニウムクロリド                  ０．８
６    ビタミンＥアセテート                                      ０．１
７    エタノール                                                １．０
８    ケイ酸アルミニウムマグネシウム                            １．２
９    防腐剤                                                      適量
１０  香料                                                        適量
１１  精製水                                                      残量
（製造方法）
Ａ：成分１〜６及び９を加熱混合した。
Ｂ：成分７〜８及び１１を加熱し均一になるよう分散混合した。
Ｃ：攪拌下、Ａで得られた混合物にＢで得られた分散物を徐添して乳化し、冷却して
成分１０を添加し日焼け止めクリームを得た。
（評価）
以上のようにして得られた日焼け止めクリームは、キメが細かく、のび広がりが軽く、経時変化も無かった。また、べたつきがないため、砂が全くつかず、使用性が非常に良かった。さらに、化粧持ちも良いため、紫外線防止効果が持続した。
【０１０９】
［実施例１１：アイシャドウ］
（成分）                                                            （％）
１    デカメチルシクロペンタシロキサン                        １５．０
２    ジメチルポリシロキサン（６ｍｍ２／ｓ）                  １０．０
３    合成例５のオルガノポリシロキサン                          ２．０
４    ＰＥＧ（１０）ラウリルエ−テル                            ０．５
５    シリコーン処理酸化クロム（注１）                          ６．２
６    シリコーン処理群青（注１）                                ４．０
７    シリコーン処理チタン被覆マイカ（注１）                    ６．０
８    塩化ナトリウム                                            ２．０
９    プロピレングリコール                                      ８．０
１０  防腐剤                                                      適量
１１  香料                                                        適量
１２  精製水                                                      残量
（注１）シリコーン処理：粉体質量に対して３質量％のメチルハイドロジェンポリシ
ロキサン添加後、１５０℃で加熱処理したもの
（製造方法）
Ａ：成分１〜４を混合し、成分５〜７を添加して均一になるよう分散した。
Ｂ：成分８〜１０及び１２を均一溶解した。
Ｃ：攪拌下、Ａで得られた分散物にＢで得られた溶液を徐添して乳化し、成分１１を
添加してアイシャドウを得た。
（評価）
以上のようにして得られたアイシャドウは、のび広がりが軽くて油っぽさや粉っぽさがなく、みずみずしく、さっぱりとした使用感を与えると共に、耐水性や撥水性、耐汗性が良好で持ちも良く、化粧崩れしにくく、温度や経時的に変化がなく安定性にも優れていることがわかった。
【０１１０】
［実施例１２：リップクリーム］
（成分）                                                            （％）
１    デカメチルシクロペンタシロキサン                        ４０．０
２    イソパラフィン（沸点１５５℃）                          １０．０
３    スクワラン                                              １０．０
４    ラノリン                                                  ２．０
５    トリメチルシロキシシリケート                              ３．０
６    マイクロクリスタリンワックス                              ３．０
７    合成例６のオルガノポリシロキサン                          ３．０
８    ラウロイルグルタミン酸ジブチルアミド                      ５．０
９    乳酸ナトリウム                                            ０．３
１０  Ｌ−グルタミン酸ナトリウム                                ０．３
１１  ヒアルロン酸ナトリウム                                    ０．１
１２  ソルビトール                                              ０．５
１３  グリセリン                                                ５．０
１４  赤色２０２号                                                適量
１５  メントール                                                  適量
１６  防腐剤                                                      適量
１７  香料                                                        適量
１８  精製水                                                      残量
（製造方法）
Ａ：成分１〜８を加熱混合した。
Ｂ：成分９〜１６及び１８を加熱溶解した。
Ｃ：攪拌下、Ａで得られた混合物にＢで得られた溶液を徐添して乳化し、成分１７を
添加してカプセルに充填し、リップクリームを得た。
（評価）
以上のようにして得られた固形状の油中水型リップクリームは、のび広がりが軽くてべたつきや油っぽさがなく、しっとりとしてみずみずしく、さっぱりとした使用感を与えると共に経時変化も無く、施与されたリップクリームは持ちがよかった。
【０１１１】
［実施例１３：液状乳化ファンデーション］
（成分）                                                            （％）
１    ジメチルポリシロキサン（６ｍｍ２／ｓ）                    ５．０
２    デカメチルシクロペンタシロキサン                        １５．０
３    スクワラン                                                ４．０
４    ジオクタン酸ネオペンチルグリコール                        ３．０
５    ミリスチン酸イソステアリン酸ジグリセライド                ２．０
６    α−モノイソステアリルグリセリルエーテル                  １．０
７    合成例１のオルガノポリシロキサン                          １．０
８    ジステアリン酸アルミニウム塩                              ０．２
９    疎水化処理酸化チタン（注１）                              ５．０
１０  疎水化処理セリサイト（注１）                              ２．０
１１  疎水化処理タルク（注１）                                  ３．０
１２  疎水化処理ベンガラ（注１）                                ０．４
１３  疎水化処理黄酸化鉄  （注１）                              ０．７
１４  疎水化処理黒酸化鉄（注１）                                ０．１
１５  硫酸マグネシウム                                          ０．７
１６  グリセリン                                                ３．０
１７  防腐剤                                                      適量
１８  香料                                                        適量
１９  精製水                                                      残量
（注１）疎水化処理粉体：粉体質量に対し、２質量％のステアリン酸で処理したもの
（製造方法）
Ａ：成分１〜８を加熱混合し、成分９〜１４を添加して均一にした。
Ｂ：成分１５〜１７及び１９を加熱溶解した。
Ｃ：攪拌下、Ａで得られた混合物にＢで得られた溶液を徐添して乳化し、冷却して成
分１８を添加し液状乳化ファンデーションを得た。
（評価）
以上のようにして得られた液状乳化ファンデーションは、粘度が低くキメが細かく、のび広がりが軽くてべたつきや油っぽさがなく、しっとりとしてみずみずしく、さっぱりとした使用感を与えると共に経時変化も無かった。皮膚上での化粧持ちも良かった。
【０１１２】
［実施例１４：透明ゲル化粧料］
（成分）                                                            （％）
１    デカメチルシクロペンタシロキサン                        １０．０
２    合成例２のオルガノポリシロキサン                        １０．０
３    １，３−ブチレングリコール                              １０．０
４    ポリエチレングリコール４００                              ９．０
５    ２−ヒドロキシオクタン酸                                  １．０
６    ソルビトール（７０％水溶液）                            １０．０
７    クエン酸                                                    適量
８    クエン酸ナトリウム                                          適量
９    防腐剤                                                      適量
１０  香料                                                        適量
１１  精製水                                                      残量
（製造方法）
Ａ：成分３〜１１を均一溶解した。
Ｂ：成分１〜２を混合し、均一にした。
Ｃ：攪拌下、Ａで得られた溶液をＢで得られた混合物に徐添、乳化して透明ゲル化粧
料を得た。
（評価）
以上のようにして得られた透明ゲル化粧料は、のび広がりが軽く、べたつきや油っぽさがなく、しっとりとしてみずみずしく、さっぱりとした使用感を与えると共に、皮膚になじみやすく、経時変化も無かった。
【０１１３】
［実施例１５：日焼け止め化粧水］
（成分）                                                            （％）
１    デカメチルシクロペンタシロキサン                      １４．０
２    合成例２のオルガノポリシロキサン                      １０．０
３    スクワラン                                              １．５
４    パラメトキシ桂皮酸オクチル                              ３．０
５    疎水化処理超微粒子酸化チタン（注１）                    ２．０
６    １，３−ブチレングリコール                            １０．０
７    塩化ナトリウム                                          ２．０
８    Ｌ−プロリン                                            ０．１
９    ２−ヒドロキシオクタン酸                                １．０
１０  ２−ヒドロキシプロパン酸                                ５．０
１１  水酸化ナトリウム                                          適量
１２  防腐剤                                                    適量
１３  香料                                                      適量
１４  精製水                                                    残量
（注１）疎水化処理超微粒子酸化チタン：チタンＴＴＯ−Ｖ−４（石原産業社製）
（製造方法）
Ａ：成分６〜１４を均一になるよう溶解した。
Ｂ：成分１〜４を混合し、成分５を加えて均一にした。
Ｃ：攪拌下、ＡにＢを徐添、乳化して日焼け止め化粧水を得た。
（評価）
以上のようにして得られた日焼け止め化粧水は、のび広がりが軽く、べたつきや油っぽさがなく、しっとりとしてみずみずしく、さっぱりとした使用感を与えると共に、皮膚になじみやすく、経時変化も無かった。また、日焼け止め効果にも優れていた。
【０１１４】
［実施例１６：乳液］
（成分）                                                            （％）
１    デカメチルシクロペンタシロキサン                      １８．０
２    ジメチルポリシロキサン（６ｍｍ２／ｓ）                  ６．０
３    スクワラン                                              ５．０
４    ジオクタン酸ネオペンチルグリコール                      ３．０
５    α−モノオレイルグリセリルエーテル                      １．０
６    合成例４のオルガノポリシロキサン                        ２．０
７    ジステアリン酸アルミニウム塩                            ０．２
８    硫酸マグネシウム                                        ０．７
９    グリセリン                                              ５．０
１０  防腐剤                                                    適量
１１  香料                                                      適量
１２  精製水                                                    残量
（製造方法）
Ａ：成分１〜７を加熱混合した。
Ｂ：成分８〜１０及び１２を加熱溶解した。
Ｃ：攪拌下、Ａで得られた混合物にＢで得られた溶液を徐添して乳化し、冷却して成
分１１を添加し乳液を得た。
（評価）
以上のようにして得られた乳液は、低粘度でキメが細かく、のび広がりが軽くてべたつきや油っぽさがなく、しっとりとしてみずみずしく、さっぱりとした使用感を与えると共に経時変化も無かった。さらに皮膚上での化粧持ちも良かった。
【０１１５】
［実施例１７：日焼け止めクリーム］
（成分）                                                            （％）
１    デカメチルシクロペンタシロキサン                        １８．０
２    メチルフェニルポリシロキサン                              ２．０
３    流動パラフィン                                            １．５
４    合成例３のオルガノポリシロキサン                          ４．０
５    パラメトキシ桂皮酸オクチル                                ５．０
６    １，３−ブチレングリコール                                ４．０
７    塩化ナトリウム                                            １．０
８    防腐剤                                                      適量
９    香料                                                        適量
１０  精製水                                                      残量
（製造方法）
Ａ：成分１〜５を加熱混合した。
Ｂ：成分６〜８及び１０を加熱溶解した。
Ｃ：攪拌下、Ａで得られた混合物にＢで得られた溶液を徐添して乳化し、冷却して成
分９を添加し日焼け止めクリームを得た。
（評価）
以上のようにして得られた日焼け止めクリームは、キメが細かく、のび広がりが軽く、しっとりとしてみずみずしく、油っぽさやべたつきがなく、経時変化も無かった。また、施与されたクリームは、耐水性、耐汗性に優れて化粧持ちも良く、紫外線防止効果も持続した。
【０１１６】
［実施例１８：液状ファンデーション］
（成分）                                                            （％）
１    デカメチルシクロペンタシロキサン                        １６．０
２    ジメチルポリシロキサン（６ｍｍ２／ｓ）                    ８．０
３    パラメトキシ桂皮酸オクチル                                ３．０
４    １２−ヒドロキシステアリン酸                              １．０
５    フッ素変性シリコーン（注１）                            １５．０
６    合成例１のオルガノポリシロキサン                          ５．０
７    球状シリコーン樹脂粉体（注２）                            ３．０
８    フッ素化合物処理微粒子酸化チタン（注３）                  ８．０
９    フッ素化合物処理雲母チタン（注３）                        １．０
１０  フッ素化合物処理酸化チタン（注３）                        ５．０
１１  フッ素化合物処理ベンガラ（注３）                          ０．９
１２  フッ素化合物処理黄酸化鉄（注３）                          ２．０
１３  フッ素化合物処理黒酸化鉄（注３）                          １．０
１４  エタノール                                              １５．０
１５  グリセリン                                                ３．０
１６  硫酸マグネシウム                                          １．０
１７  防腐剤                                                      適量
１８  香料                                                        適量
１９  精製水                                                      残量
（注１）フッ素変性シリコーン：ＦＬ−１００（信越化学工業社製）
（注２）球状シリコーン樹脂粉体：ＫＭＰ５９０（信越化学工業（株）製）
（注３）フッ素化合物処理：パーフルオロアルキルエチルリン酸ジエタノールアミン
塩にて５％被覆したもの
（製造方法）
Ａ：成分７〜１３を均一に混合した。
Ｂ：成分１〜６を７０℃に加熱混合し、Ａで得られた混合物を加えて均一になるよう
分散及び混合した。
Ｃ：成分１４〜１７及び１９を４０℃に加温して溶液を得、これをＢで得られた分散
物に徐添して乳化し、冷却して成分１８を加え、液状ファンデーションを得た。
（評価）
以上のようにして得られた液状ファンデーションは、べたつきがなく、のび広がりも軽く、しかも、さっぱり感を与えた。また、経時変化も無かった。
【０１１７】
［実施例１９：乳液］
（成分）                                                            （％）
１    デカメチルシクロペンタシロキサン                            １５．０
２    メチルフェニルポリシロキサン                                ５．０
３    スクワレン                                                  ５．０
４    テトラ−２−エチルヘキサン酸ペンタエリスリトール            ５．０
５    合成例５のオルガノポリシロキサン                            ３．０
６    オルガノポリシロキサンエラストマー球状粉体（注１）          ２．０
７    疎水化シリカ（注２）                                        ０．５
８    アスコルビン酸リン酸マグネシウム                            １．０
９    塩化ナトリウム                                              １．０
１０  ポリエチレングリコール１１０００                            １．０
１１  プロピレングリコール                                        ８．０
１２  防腐剤                                                      適量
１３  香料                                                        適量
１４  精製水                                                      残量
（注１）オルガノポリシロキサンエラストマー球状粉体：ＫＭＰ５９４（信越化学工
業（株）製）
（注２）疎水化シリカ：アエロジルＲ９７２（日本アエロジル社製）
（製造方法）
Ａ：成分１〜５を均一に混合し、成分６〜７を加えて均一になるよう分散した。
Ｂ：成分１４に成分８〜１０を加えて溶解し、更に成分１１、１２を混合したものを
、添加した。
Ｃ：Ｂで得られた混合物をＡで得られた分散物に徐添して乳化した後冷却し、成分１
３を加えて乳液を得た。
（評価）
以上のようにして得られた乳液は、のび広がりも軽く、さらっとしてべたつきがなく、経時変化も無かった。
【０１１８】
［実施例２０：保湿クリーム］
（成分）                                                            （％）
１    デカメチルシクロペンタシロキサン                        １０．０
２    メチルフェニルポリシロキサン                              ３．０
３    流動パラフィン                                            ５．０
４    テトラ−２−エチルヘキサン酸ペンタエリスリトール          ３．０
５    ２−エチルヘキサン酸セチル                                ５．０
６    合成例１のオルガノポリシロキサン                          １．０
７    オルガノポリシロキサンエラストマー球状粉体（注１）        ２．５
８    疎水化シリカ（注２）                                      ２．０
９    ステアリン酸亜鉛                                          ２．０
１０  ビタミンＥアセテート                                      ３．０
１１  ポリエチレングリコール４００                              １．０
１２  乳酸ナトリウム                                            １．０
１３  １，３−ブチレングリコール                                ５．０
１４  防腐剤                                                      適量
１５  香料                                                        適量
１６  精製水                                                      残量
（注１）オルガノポリシロキサンエラストマー球状粉体：ＫＭＰ５９４（信越化学工
業（株）製）
（注２）疎水化シリカ：アエロジルＲ９７２（日本アエロジル社製）
（製造方法）
Ａ：成分１〜６及び９〜１０を均一に混合し、成分７〜８を加えて均一になるよう分
散した。
Ｂ：成分１１〜１４及び１６を加えて溶解した。
Ｃ：Ｂで得られた溶液をＡで得られた混合物に徐添して乳化した後冷却し、成分１５
を加えて保湿クリームを得た。
（評価）
以上のようにして得られた保湿クリームは、のび広がりも軽く、べたつきがなく、経時変化も無かった。
【０１１９】
［実施例２１：アイライナー］
（成分）                                                            （％）
１    デカメチルシクロペンタシロキサン                        ２２．０
２    ジメチルポリシロキサン（６ｍｍ２／ｓ）                    ５．０
３    シリコーン処理黒酸化鉄                                  ２０．０
４    ビタミンＥアセテート                                      ０．２
５    ホホバ油                                                  ２．０
６    ベントナイト                                              ３．０
７    合成例６のオルガノポリシロキサン                          ２．０
８    エタノール                                              １０．０
９    １，３−ブチレングリコール                              １０．０
１０  防腐剤                                                      適量
１１  香料                                                        適量
１２  精製水                                                      残量
（製造方法）
Ａ：成分１〜２、４〜７を混合し、成分３を加えて均一に混合分散した。
Ｂ：成分８〜１０及び１２を混合した。
Ｃ：Ｂで得られた混合物をＡで得られた分散物に徐添して乳化した後冷却し、成分１
１を加えてアイライナーを得た。
（評価）
以上のようにして得られたアイライナーは、のびが軽くて描きやすく、経時変化も無かった。また、皮膚上での、耐水性、耐汗性に優れ、化粧持ちも非常に良かった。
【０１２０】
［実施例２２：サンカットクリーム］
（成分）                                                            （％）
１    デカメチルシクロペンタシロキサン                        １７．５
２    ＫＰ５４５（注１）                                      １２．０
３    トリイソオクタン酸グリセリル                              ５．０
４    パラメトキシケイ皮酸オクチル                              ６．０
５    ＫＳＧ２１０（注２）                                      ５．０
６    合成例１のオルガノポリシロキサン                          １．０
７    親油化処理酸化亜鉛                                      ２０．０
８    塩化ナトリウム                                            ０．５
９    １，３−ブチレングリコール                                ２．０
１０  防腐剤                                                      適量
１１  香料                                                        適量
１２  精製水                                                      残量
（注１）  ＫＰ５４５：アクリルシリコーン（信越化学工業（株）製）
（注２）  ＫＳＧ２１０：シリコーンゲル（信越化学工業（株）製）
（製造方法）
Ａ：成分１の一部に成分２を加えて均一にし、成分７を添加してビーズミルにて分散
した。
Ｂ：成分１の残部と及び３〜６を混合し、均一に混合した。
Ｃ：成分８〜１０及び１２を混合、溶解した。
Ｄ：Ｂで得られた混合物にＣで得られた溶液を加えて乳化し、Ａ及び成分１１を加添
加してサンカットクリームを得た。
（評価）
以上のようにして得られたサンカットクリームは、べたつきがなく、のび広がりも軽く、密着感を与えた。経時変化も無く、皮膚上での紫外線効果も持続した。
【０１２１】
［実施例２３：Ｏ／Ｗハンドクリーム］
（成分）                                                            （％）
１    ＫＰ５４５（注１）                                      １０．０
２    ＫＳＧ１６（注２）                                        ２．０
３    イソパラフィン                                            ５．０
４    ワセリン                                                  ５．０
５    トリイソオクタン酸グリセリル                              ３．０
６    合成例４のオルガノポリシロキサン                          ０．５
７    モノオレイン酸ポリオキシエチレンソルビタン                １．０
８    セピゲル３０５（注３）                                    ２．０
９    １，３−ブチレングリコール                                ５．０
１０  グリセリン                                                ５．０
１１  防腐剤                                                      適量
１２  香料                                                        適量
１３  精製水                                                      残量
（注１）ＫＰ５４５：アクリルシリコーン（信越化学工業（株）製）
（注２）ＫＳＧ１６：シリコーンゲル（信越化学工業（株）製）
（注３）セピゲル３０５：（ＳＥＰＰＩＣ社製）
（製造方法）
Ａ：成分１〜７を均一に混合した。
Ｂ：成分８〜１１及び１３を均一に混合した。
Ｃ：Ａで得られた混合物にＢで得られた溶液を加えて乳化し、成分１２を添加してＯ／Ｗハンドクリームを得た。
（評価）
以上のようにして得られたＯ／Ｗハンドクリームはのび広がりも軽く、優れた密着感を与え、水仕事から皮膚を効果的に保護した。さらに、経時変化も無かった。
【０１２２】
［実施例２４：Ｏ／Ｗハンドクリーム］
（成分）                                                            （％）
１    ＫＰ５４５（注１）                                      １０．０
２    ＫＰ５６１Ｐ（注２）                                      ８．０
３    セタノール                                                １．０
４    トリイソステアリン酸グリセリル                            ５．０
５    ステアリン酸                                              ３．０
６    モノステアリン酸グリセリル                                １．５
７    合成例２のオルガノポリシロキサン                          ０．７
８    セスキオレイン酸ソルビタン                                ０．５
９    モノオレイン酸ポリオキシエチレンソルビタン                １．０
１０  水酸化ナトリウム（１％水溶液）                          １０．０
１１  １，３−ブチレングリコール                                ５．０
１２  防腐剤                                                      適量
１３  香料                                                        適量
１４  精製水                                                      残量
（注１）ＫＰ５４５：アクリルシリコーン（信越化学工業（株）製）
（注２）ＫＰ５６１Ｐ：ステアリル変性アクリルシリコーン（信越化学工業（株）
製）
（製造方法）
Ａ：成分１〜９を混合、加熱溶解した。
Ｂ：成分１０〜１２及び１４を加熱混合した。
Ｃ：Ａで得られた溶液にＢで得られた混合物を加えて乳化し、冷却して成分１３を添
加し、Ｏ／Ｗハンドクリームを得た。
（評価）
以上のようにして得られたＯ／Ｗハンドクリームは、べたつきがなく、のび広がりも軽く、優れた密着感を与え、水仕事から皮膚を効果的に保護した。さらに、経時変化も無かった。
【０１２３】
以上説明したように、本発明によれば、乳化安定性が良好で、さらには粉体を含む場合は粉体の分散安定性が良好であり、且つ、経時安定性及び皮膚密着性に優れたオルガノポリシロキサン、およびこれを含有する化粧料を提供することができることが示された。特に、粉体を含有する化粧料において前記オルガノポリシロキサンを配合すると、粉体処理効果（耐水性、耐皮脂性、油剤への分散安定性）により、粉体が高度に分散された化粧料を形成することができる。
【０１２４】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。